【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
シートを搬送する搬送部材と、
前記搬送部材により搬送されるシートを湾曲させて搬送方向を変更する第１の変更部と、
前記搬送部材により搬送され前記第１の変更部によって搬送方向が変更されたシートを湾曲させて搬送方向を変更する第２の変更部と、
前記シートの搬送速度を制御する制御部と、
を有し、
前記搬送部材は、第１方向に回転することによってシートの先端が前記第１の変更部へ向かうように搬送し、前記第１方向に回転する前記搬送部材によって搬送されている該シートの搬送方向は前記第１の変更部によって変更され、
前記第１方向に回転する前記搬送部材によって搬送されている、前記第１の変更部によって搬送方向が変更された該シートの搬送方向が前記第２の変更部によって変更され、
前記搬送部材は、前記第１方向に回転した後に前記第１方向とは反対方向の第２方向に回転することによってシートを搬送し、
前記制御部は、第１シートを搬送する場合、少なくとも第１シートの先端が前記第２の変更部に接しているときには前記第１方向に回転する前記搬送部材のシートの搬送速度をＶ１に設定し、前記第１シートよりも短い第２シートを搬送する場合、少なくとも第２シートの先端が前記第１の変更部に接しているときには前記第１方向に回転する前記搬送部材のシートの搬送速度をＶ１よりも速いＶ２に設定し、
前記第２シートは、前記第１方向に回転している前記搬送部材により搬送される際に前記第２の変更部に達しないことを特徴とするシート搬送装置。
【請求項２】
前記制御部は、前記第１方向に回転している前記搬送部材により搬送されている前記第１シートの先端が前記第１の変更部に接しているときにおよび前記第１方向に回転している前記搬送部材により搬送されている前記第１シートの先端が前記第２の変更部に接しているときに、前記第１方向に回転する前記搬送部材のシートの搬送速度をＶ１に設定することを特徴とする請求項１記載のシート搬送装置。
【請求項３】
前記制御部は、前記第２方向に回転している前記搬送部材により前記第１シートを搬送させる際、および、前記第２方向に回転している前記搬送部材により前記第２シートを搬送される際に搬送速度を、Ｖ１よりも速いＶ３に設定することを特徴とする請求項１又は請求項２に記載のシート搬送装置。
【請求項４】
前記制御部は、前記第２の変更部に達するシートか否かは、シートの搬送方向長さにより判別することを特徴とする請求項１乃至請求項３のいずれか１項に記載のシート搬送装置。
【請求項５】
前記搬送部材から前記第１の変更部へシートの先端が向かう方向と、前記第２の変更部によって変更された後のシートの先端が向かう方向とは略反対方向であることを特徴とする請求項１乃至請求項４のいずれか１項に記載のシート搬送装置。
【請求項６】
前記第２の変更部は、シートの搬送方向を、略鉛直方向上向きに変更することを特徴とする請求項１乃至請求項５のいずれか１項に記載のシート搬送装置。
【請求項７】
前記第１の変更部は、シートをガイドするガイド部材により構成され、前記第２の変更部は、シートをガイドするガイド部材により構成されることを特徴とする請求項１乃至請求項６のいずれか１項に記載のシート搬送装置。
【請求項８】
前記搬送部材から前記第２の変更部までのシート搬送経路は、搬送されるシートの一方側の面をガイドするガイド部材により構成されることを特徴とする請求項１乃至請求項７のいずれか１項に記載のシート搬送装置。
【請求項９】
前記制御部は、前記第１方向に回転している前記搬送部材により前記第１シートを搬送する場合、シートの先端が前記第２の変更部に接してから一旦停止するまで搬送速度をＶ１に設定し、前記一旦停止後に前記搬送部材は前記第２方向に回転することを特徴とする請求項１乃至請求項８のいずれか１項に記載のシート搬送装置。
【請求項１０】
シートを搬送する搬送ローラと、
前記搬送ローラを制御する制御部と、
前記搬送ローラにより搬送されるシートを、該シートに接触することで湾曲させる第１湾曲部と、
前記第１湾曲部とは異なる位置に配置され、前記第１湾曲部によって湾曲させられたシートを、該シートに接触することで湾曲させる第２湾曲部と、
を有し、
前記搬送ローラは、前記搬送ローラの一方向の回転によって前記第１湾曲部へ向けてシートの先端を搬送した後に、前記搬送ローラの他方向に回転によって該シートをスイッチバックして搬送し、
前記制御部は、第１シートを搬送する場合、前記一方向の回転により第１シートを第１速度で前記搬送ローラに搬送させ、搬送方向における長さが前記第１シートよりも短い第２シートを搬送する場合、前記一方向の回転により前記第２シートを前記第１速度よりも高速な第２速度で前記搬送ローラに搬送させ、
前記第１シートは、前記搬送ローラの一方の回転によって搬送される際に前記第１湾曲部および第２湾曲部に達し、
前記第２シートは、前記搬送ローラの一方の回転によって搬送される際に前記第１湾曲部に達し、前記第２湾曲部に達しないことを特徴とするシート搬送装置。
【請求項１１】
前記搬送ローラはシートを下方へ搬送し、
前記第１湾曲部は、前記搬送ローラによって搬送されるシートの先端部が略水平方向を向くようにシートを湾曲させ、
前記第２湾曲部は、前記搬送ローラによって搬送されるシートの先端が上方を向くようにシートを湾曲させることを特徴とする請求項１０記載のシート搬送装置。
【請求項１２】
前記第２湾曲部は、前記搬送ローラの前記一方向の回転によって搬送されるシートの先端が向かう方向が略水平方向から略鉛直方向上向きに変更されるようにシートを湾曲させることを特徴とする請求項１０又は請求項１１に記載のシート搬送装置。
【請求項１３】
前記第２湾曲部に湾曲されたシートの先端部は、略鉛直方向上向きであることを特徴とする請求項１０乃至請求項１２のいずれか１項に記載のシート搬送装置。
【請求項１４】
シートに画像を形成する画像形成部と、
請求項１乃至請求項１３のいずれか１項に記載のシート搬送装置と、
を有することを特徴とする画像形成装置。
【手続補正２】
【補正対象書類名】明細書
【補正対象項目名】０００９
【補正方法】変更
【補正の内容】
【０００９】
上記目的を達成するための本発明に係る代表的な構成は、シートを搬送する搬送部材と、前記搬送部材により搬送されるシートを湾曲させて搬送方向を変更する第１の変更部と、前記搬送部材により搬送され前記第１の変更部によって搬送方向が変更されたシートを湾曲させて搬送方向を変更する第２の変更部と、前記シートの搬送速度を制御する制御部と、を有し、前記搬送部材は、第１方向に回転することによってシートの先端が前記第１の変更部へ向かうように搬送し、前記第１方向に回転する前記搬送部材によって搬送されている該シートの搬送方向は前記第１の変更部によって変更され、前記第１方向に回転する前記搬送部材によって搬送されている、前記第１の変更部によって搬送方向が変更された該シートの搬送方向が前記第２の変更部によって変更され、前記搬送部材は、前記第１方向に回転した後に前記第１方向とは反対方向の第２方向に回転することによってシートを搬送し、前記制御部は、第１シートを搬送する場合、少なくとも第１シートの先端が前記第２の変更部に接しているときには前記第１方向に回転する前記搬送部材のシートの搬送速度をＶ１に設定し、前記第１シートよりも短い第２シートを搬送する場合、少なくとも第２シートの先端が前記第１の変更部に接しているときには前記第１方向に回転する前記搬送部材のシートの搬送速度をＶ１よりも速いＶ２に設定し、前記第２シートは、前記第１方向に回転している前記搬送部材により搬送される際に前記第２の変更部に達しないことを特徴とする。